(57)【要約】      （修正有）【課題】トップリフトを固定した靴で歩いたり駆けたりしてもトップリフトのピン体が折れたりするのを可及的に防止できると共に靴が路面に当たる時の衝撃を身体に伝わり難くするトップリフトを提供する。【解決手段】トップリフト１０は靴１２の踵部１４に固定されるようになっている。トップリフト１０のピン固定板部１６は硬質ウレタンで形成され、ピン固定板部１６にはアルミニウム製のピン体１８が植設されている。このピン体１８の嵌入部２０は靴１２の踵部１４に穿設された孔１４Ａに嵌入されるようになっている。この嵌入部２０の外周面には抜け止め溝２２が形成されている。前記ピン体１８の基端部２４はピン基板部１６に埋設されている。また、ピン固定板部１６の底面及び側面には軟質ウレタンで形成されたカバー部２６が設けられている。【選択図】図４
0003117268.tif 000002
【実用新案登録請求の範囲】
【請求項１】
合成樹脂材で形成されたピン固定板部と、このピン固定板部に植設されると共に嵌入部が靴に穿設された嵌入孔に嵌入される金属製のピン体と、軟質の合成樹脂材で形成されると共に前記ピン固定板部の底面及び側面に設けられたカバー部と、このカバー部の底面に形成された滑り止め溝と、を有してなることを特徴とするトップリフト。
【請求項２】
硬質ウレタンで板状に形成されたピン固定板部と、このピン固定板部に植設されると共に嵌入部が靴に穿設された嵌入孔に嵌入されるアルミニウム製のピン体と、軟質ウレタンで形成されると共に前記ピン固定板部の底面及び側面に設けられたカバー部と、このカバー部の底面に形成された滑り止め溝と、を有してなることを特徴とするトップリフト。
【請求項３】
硬質ウレタンで板状に形成されたピン固定板部と、このピン固定板部に植設されると共に嵌入部が靴に穿設された嵌入孔に嵌入されるアルミニウム製のピン体と、このピン体の嵌入部の外周面に形成された溝と、軟質ウレタンで形成されると共に前記ピン固定板部の底面及び側面に設けられたカバー部と、このカバー部の底面に形成された滑り止め溝と、を有してなることを特徴とするトップリフト。
【考案の詳細な説明】
【技術分野】
【０００１】
本考案は、ハイヒール等の靴の踵部の底に固定されて用いられるトップリフトに関する。
【背景技術】
【０００２】
ハイヒールの靴等においては特に踵部の底の磨耗が激しいため、踵部の底にはトップリフトと称される靴部品が固定され、踵部の底の磨耗を防止している。このトップリフトの構造は板状のトップリフト本体からピン体が突設され靴の踵部の底に穿設された孔に嵌入されるようになっている。
ところで、従来のトップリフトにおいては製造効率を向上させるために前記ピン体とトップリフト本体を合成樹脂材で一体形成してなるものが提案されている。
しかし、このタイプのトップリフトはピン体が合成樹脂材で形成されているため、ピン体の強度に欠け、前記トップリフトを固定した靴で歩いたり駆けたりするとピン体が折れたり、あるいはピン体の外周部に設けられている抜け止め溝が磨耗してしまい、靴の踵部から前記トップリフトが抜け落ちてしまう等の不具合がある。
また、このタイプのトップリフトは硬質の合成樹脂材でピン体とトップリフト本体を一体形成しているので、前記トップリフトを固定した靴で歩いり駆けたりすると靴底が路面に当たった時の衝撃が身体に伝わり易いという不具合がある。
【考案の開示】
【考案が解決しようとする課題】
【０００３】
本考案は、上記事実に鑑みなされたものでありトップリフトを固定した靴で歩いたり駆けたりしてもトップリフトのピン体が折れたり磨耗したりしてしまうのを可及的に防止できると共に靴が路面に当たる時の衝撃を身体に伝わり難くすることができるトップリフトを提供するものである。
【課題を解決するための手段】
【０００４】
請求項１の考案は、合成樹脂材で形成されたピン固定板部と、このピン固定板部に植設されると共に嵌入部が靴に穿設された嵌入孔に嵌入される金属製のピン体と、軟質の合成樹脂材で形成されると共に前記ピン固定板部の底面及び側面に設けられたカバー部と、このカバー部の底面に形成された滑り止め溝と、を有してなることを特徴としている。
請求項２の考案は、硬質ウレタンで板状に形成されたピン固定板部と、このピン固定板部に植設されると共に嵌入部が靴に穿設された嵌入孔に嵌入されるアルミニウム製のピン体と、軟質ウレタンで形成されると共に前記ピン固定板部の底面及び側面に設けられたカバー部と、このカバー部の底面に形成された滑り止め溝と、を有してなることを特徴としている。
請求項３の考案は、硬質ウレタンで板状に形成されたピン固定板部と、このピン固定板部に植設されると共に嵌入部が靴に穿設された嵌入孔に嵌入されるアルミニウム製のピン体と、このピン体の嵌入部の外周面に形成された溝と、軟質ウレタンで形成されると共に前記ピン固定板部の底面及び側面に設けられたカバー部と、このカバー部の底面に形成された滑り止め溝と、を有してなることを特徴としている。
【考案の効果】
【０００５】
本考案は、ピン体を金属製にしたのでこのトップリフトを固定した靴で歩いたり駆けたりした場合にピン体が折れたり磨耗してしまうのを可及的に防止することができるという優れた効果を有する。
また、本考案は、トップリフトのカバー部を軟質の合成樹脂材で形成したので、このトップリフトを固定した靴で歩いたり駆けたりした場合に靴底が路面に当たって生じた衝撃を吸収して、衝撃が身体に伝わり難くすることができるという優れた効果を有する。
さらに、本考案は、トップリフトのカバー部を軟質の合成樹脂材で形成すると共にカバー部の底面には滑り止め溝を形成したので、トップリフトのグリップ性能を高めることができ歩いたり駆けたりした際に滑り難くすることができるという優れた効果を有する。
【考案を実施するための最良の形態】
【０００６】
考案を実施するために最良の形態の例として以下のような実施例を示す。
【実施例１】
【０００７】
図１〜図５には本考案のトップリフトの一実施例が示されている。
図４に示されるように、このトップリフト１０はハイヒール等の靴１２の踵部１４に固定されるようになっている。
図１及び図２に示されるように、前記トップリフト１０のピン固定板部１６は合成樹脂材としての硬質ウレタンで板状に形成されている。このピン固定板部１６には金属としてのアルミニウム製のピン体１８が３本植設されている。このピン体１８の円柱状の嵌入部２０は図４に示されるように前記靴１２の踵部１４に穿設された孔１４Ａに嵌入されるようになっている。
図１に示されるように、この嵌入部２０の外周面には抜け止め溝２２が円周方向に沿って間隔を有して複数形成されている。
図２に示されるように、前記ピン体１８の基端部２４は円板状に形成され、前記ピン基板部１６に埋設されている。また、前記ピン固定板部１６の底面及び側面にはカバー部２６が設けられている。このカバー部２６は合成樹脂材としての軟質ウレタンで形成されている。従って、このトップリフト１０をハイヒール等の靴１２の踵部１４に固定した場合は前記カバー部２６の底面部２６Ａが地面等に直接当接するようになっている。
図３に示されるように、前記カバー部２６の底面部２６Ａには滑り止め溝２８が形成され、歩いたり駆けたりした場合に滑り難くなっている。
【０００８】
前記トップリフト１０を製造する場合は図示されない金型の中にアルミニウム製のピン体１８を収容して硬質ウレタンを射出して図５に示される中間品３０を成型する。
そして、この中間品３０を別の図示しない金型に収容して硬質ウレタンを射出して中間品３０のピン固定板部１６の底面及び側面にカバー部２６を設けると共にカバー部２６の底面２６Ａにすべり溝２８を形成することにより前記トップリフト１０を製造する。
【０００９】
次に実施例のトップリフト１０の作用について説明する。
このトップリフト１０を使用する場合は、トップリフト１０のピン体１８の円柱状の嵌入部２０を前記靴１２の踵部１４に穿設された孔１４Ａに嵌入する。これにより、前記トップリフト１０を靴１２の踵部１４に固定することができる。
このトップリフト１０のピン体１８はアルミニウムで製造されているので、トップリフト１０を固定した靴１２で歩いたり駆けたりしてもピン体１８が折れて、トップリフト１０が靴１２の踵部１４から取れたりすることを可及的に防止することができる。
また、前記ピン体１８はアルミニウムで製造されているので、ピン体１８の外周面に形成された抜け止め溝２２が磨耗してしまうことがないので、靴１２の踵部１４からトップリフト１０が抜け落ちてしまうことを防止することができる。
さらに、前記トップリフト１０のカバー部２６は軟質ウレタンで形成されているので、クッション性を高めることができると共にトップリフト１０を固定した靴１２で歩いたり駆けたりしてもトップリフト１０のカバー部２６が路面に直接当たるので路面に当たった衝撃を吸収して靴１２が路面に当たった時の衝撃が身体に伝わり難くすることができる。
しかも、前記トップリフト１０のカバー部２６は軟質ウレタンで形成されると共にカバー部２６の底面２６Ａには滑り止め溝２８が形成されているので、トップリフト１０のグリップ性能を高めることができ歩いたり駆けたりした際に滑り難くすることができる。
【００１０】
なお、前記実施例のトップリフト１０のピン体１８をアルミニウムで形成したがピン体１８はアルミニウム以外の金属で形成してもよいことは勿論である。
また、前記実施例のトップリフト１０のピン固定板部１６は合成樹脂材としての硬質ウレタンで、カバー部２６は合成樹脂材としての軟質ウレタンで、それぞれ形成したが、前記ピン固定板部１６は硬質の合成樹脂材であれば硬質ウレタンに限定されるものでなく、前記カバー部２６は軟質の合成樹脂材であれば軟質ウレタンに限定されないことは勿論である。
【図面の簡単な説明】
【００１１】
【図１】実施例のトップリフトの全体斜視図である。
【図２】実施例のトップリフトの縦断面図である。
【図３】実施例のトップリフトを底面図である。
【図４】実施例のトップリフトを靴底に取り付けた状態の縦断面図である。
【図５】実施例のトップリフトの製作工程を示す図である。
【符号の説明】
【００１２】
１０    トップリフト
１２    靴
１４    踵部
１６    ピン固定板部
１８    ピン体
２０    嵌入部
２２    抜け止め溝
２６    カバー部
２８    滑り止め溝
【図１】
0003117268.tif 000003
【図２】
0003117268.tif 000004
【図３】
0003117268.tif 000005
【図４】
0003117268.tif 000006
【図５】
0003117268.tif 000007